(57)【特許請求の範囲】
【請求項１】
包装用袋に使用するフィルムに対して、雄ファスナおよび雌ファスナからなるファスナを接着することにより、ファスナ付き袋を製袋する製袋機であって。  フィルムを送り出すとともに、フィルムと重なる部分において、フィルムの送り方向に沿って、雄ファスナおよび、雌ファスナを並行に送り出す送り手段と、さらに、上記送り方向にフィルムと、雄ファスナおよび雌ファスナとが送られる間において、フィルムと雄ファスナおよび、雌ファスナを接着する手段を設ける。  接着手段は、円形状からなる、雄ファスナ受け台と、別個なる雌ファスナ受け台を設け、各受け台の円周一部に、ファスナの進行方向を固定するガイド溝が設けられている。フィルムに、雄ファスナおよび雌ファスナを接着させるための、熱接着手段を圧接させることのできる、各別個の受け台を設けた製袋機であって、上記個別受け台は、雄ファスナおよび、雌ファスナの受け台との間隔において、フィルムの落ち込みを防ぐための、厚紙を巻き付けるガイドコロを設ける。個別受け台が、雄ファスナおよび、雌ファスナの間隔が変更される時に、フィルムの落ち込みを防ぐための、ガイドコロ周辺に、厚紙を設けることを特徴とする、製袋機。
【請求項２】
上記個別受け台が、雄ファスナおよび雌ファスナの間隔が変更される時に、フィルムの落ち込みを防ぐための、厚紙の幅方向に雄ファスナ受け台と、雌ファスナ受け台の間隔変更に合わせ、厚紙の幅方向に変更することが出来る、厚紙を設ける手段を特徴とする、請求項１の製袋機。
【発明の詳細な説明】
【発明の詳細な説明】
【技術分野】
【０００１】  本発明は、ファスナ付き包装用袋を製袋するための製袋機において、特にフィルムにファスナを接着させる手段を設けた製袋機に関する。
【従来の技術とその問題点】
【０００２】  包装用袋として、内容物を比較的高い気密状態で保存するための袋として、開口部にファスナが設けられた袋が広く用いられている。このファスナは、雄ファスナが雌ファスナに接合されることにより、前記袋の開口部を接合する構造となっている。
このようなファスナ付き袋を製袋するには、フィルムに雄ファスナおよび雌ファスナからなるファスナを接着することにより、ファスナ付き袋を製袋する。
【０００３】  上記フィルムと上記雄ファスナおよび上記雌ファスナとを接着する接着手段を備えている。
従来の接着手段は、前記雄ファスナ受台と、雌ファスナ受け台が一体式回転ドラムの周面形状に、雄ファスナと、雌ファスナの進行方向を固定するガイド溝を設けている。
【０００４】  従来上記雄ファスナと雌ファスナの間隔を変更する場合は、雄ファスナと雌ファスナ受け台が一体式回転ドラムの周面形状に雄ファスナと雌ファスナの進行方向を固定するガイド溝を間隔を変更時に新たに設けている。
【特許文献】
【０００５】
【特許文献１】特許第３６４０４３７号
【特許文献２】特許第４７７７８１９号
【発明の開示】
【発明が解決しようとする課題】
【０００６】  本発明は、上記した事情のもとで考案されたものであって、フィルムに対して雄ファスナおよび雌ファスナの間隔を変更可能な製袋機を提供することを課題とする。
【発明が課題を解決するための課題】
上記の課題を解決するため、本発明では、次の技術的手段を講じている。
【０００７】  本発明によって提供される製袋機は、フィルムに雄ファスナおよび雌ファスナからなるファスナを接着することにより、ファスナ付き袋を製袋する製袋機であって、
前記雄ファスナおよび雌ファスナを接着させる手段として、雄ファスナおよび雌ファスナの進行方向を固定するガイド溝を設けた、本発明の各個別受け台を設ける。
【０００８】  上記個別受け台は、雄ファスナおよび雌ファスナの受け台との間隔において、フィルムの落ち込みを防ぐための、厚紙を巻き付けるガイドコロを設ける手段を講じている。
【発明の効果】
【産業上の利用可能性】
【０００９】  本発明は、フィルムに対して雄ファスナおよび雌ファスナの間隔を変更可能な製袋機を提供することを課題とする。
【発明を実施するための最良の形態】  以下、本発明を実施するための最良の形態について、図面を参照して具体的に説明する。【００１０】  包装用袋に使用するフィルムに対して、雄ファスナおよび雌ファスナからなるファスナを接着することにより、ファスナ付き袋を製袋する製袋機である。【００１１】  上記フィルムＡを送り出すとともに、上記フィルムＡと重なる部分において上記フィルムの送り方向に沿って、前記雄ファスナＢおよび上記雌ファスナＢを平行に送り出す送り手段と、
上記送り方向に上記フィルムＡと上記雄ファスナＢおよび上記雌ファスナＢとが送られる間において、
フィルムと前記雄ファスナおよび前記雌ファスナを接着する接着手段３を備えている。上記接着手段３は、円形状なる、前記雄ファスナ受け台１ａと別個なる雌ファスナ受け台１ｂを設け、各受け台１ａ．１ｂ円周部に、前記フィルムに前記雄ファスナおよび前記雌ファスナを接着させるための、熱接着手段３を圧接させることのできる、各別個の受け台１ａ．１ｂを設けている。【００１２】  上記個別ファスナＢは、上記雄ファスナおよび上記雌ファスナの間隔によって、上記個別受け台１ａ，２ｂの間隔が変更可能である。【００１３】  上記個別受け台１ａ．１ｂは、上記雄ファスナおよび上記雌ファスナの受け台１ａ，１ｂとの間隔において、フィルムの落ち込みを防ぐための、厚紙５を巻き付けるガイドコロ４を設ける。
上記個別受け台１ａ．１ｂが、上記雄ファスナおよび上記雌ファスナの間隔が変更される時に、フィルムの落ち込みを防ぐための、前記ガイドローラ４円周上に、上記厚紙５を設ける。【００１４】  上記個別受け台１ａ．１ｂが、上記雄ファスナおよび上記雌ファスナの間隔が変更される時に、フィルムの落ち込みを防ぐための、厚紙５の幅方向に上記雄ファスナＢと上記雌ファスナＢの間隔変更に合わせ、厚紙５の幅方向に変更することが出来る。【００１５】  本発明の特徴は、雄ファスナおよび雌ファスナの受け台１ａ，１ｂが、各別個に設けられ、各受け台１ａ，１ｂが雄ファスナおよび雌ファスナの間隔によって、ファスナ受け台１ａ，１ｂの間隔が変更可能な手段を用いていることが特徴である。【００１６】  さらに、雄ファスナおよび雌ファスナ受け台１ａ，１ｂの間に、フイルムの落ち込みを防ぐ、厚紙５を用いることが本発明の特徴である。【００１７】  上記厚紙５を薄い鉄板、または、薄いアルミ板を使用することも本請求範囲である。
【図面の簡単な説明】
【００１７】
【図１】本発明に係る製袋機の一例を示す平面図である。
【図２】図１のＹ−Ｙ線に沿う要部断面図である。
【図３】図２のファスナ受け台と熱接着手段を示す断面図である。
【図４】図３のファスナ受け台と熱接着手段にフイルムおよびファスナを示す断面図である。
【図５】本発明の図１に示す雄、雌ファスナ受け台を示す平面図である。
【図６】本発明の図５に示す受け台より、フイルムの落ち込みを防ぐ厚紙を巻き付けた平面図である。
【図７】本発明の雄ファスナの一例を示す要部断面図である。
【図８】本発明の雌ファスナの一例を示す要部断面図である。
【図９】フイルムにファスナを接着させた一例を示す要部断面図である。
【図１０】フイルムにファスナを接着させた一例を示す要部断面図である。
【符号の説明】Ａ    フイルム
Ｂ    ファスナ
１ａ  雄ファスナ受け台
１ｂ  雌ファスナ受け台
２ａ  雄ファスナの進行方向を固定するガイド溝
２ｂ  雌ファスナの進行方向を固定するガイド溝
３    ファスナ熱接着手段
４    ガイドコロ
５    厚紙
【図１】
0005633824.tif 000002
【図２】
0005633824.tif 000003
【図３】
0005633824.tif 000004
【図４】
0005633824.tif 000005
【図５】
0005633824.tif 000006
【図６】
0005633824.tif 000007
【図７】
0005633824.tif 000008
【図８】
0005633824.tif 000009
【図９】
0005633824.tif 000010
【図１０】
0005633824.tif 000011